(57)【要約】【課題】居住者各人の好みに応じた空調と照明を実現可能とするダクト空調システムを提供する。【解決手段】ダクト空調システム１は、天井スペース６に代表される室内空間に複数列配設した矩形ダクト４と、矩形ダクト４の下面開口部４ａに接続部材３を介して配設される複数の制気口ユニット２及び／又は照明ユニット７と、を備えている。矩形ダクト４の開口部４ａと接続部材３のフランジ部３ａとの位置を合わせ、間にシール部材３ｄを介在させて固定する。次に、接続部材３の鞘部３ｂに制気口ユニット２のフランジ部２ｂをスライドさせて端部まで差し込み、固定することにより装着を完了する。【選択図】図４（ｂ）
2014126313.tif 000002
【特許請求の範囲】
【請求項１】
天井空間等に配設される空調ダクトにより温風又は冷風を供給して、室内を空調するダクト空調システムであって、
下面側の長手方向に、所定の間隔で複数の開口部を備えた矩形空調ダクトと、
温風又は冷風を吹き出す気流吹出手段を備え、かつ、該開口部に着脱自在に装着可能に構成した制気口ユニットと、を備えて成り、
空調必要箇所の直近開口部に、該制気口ユニットを設置可能に構成した、
ことを特徴とするダクト空調システム。
【請求項２】
前記制気口は前記気流吹出手段に替えて、又は前記気流吹出手段に加えて、照明機器を、さらに備えたことを特徴とする請求項１に記載のダクト空調システム。
【請求項３】
前記気流吹出手段、又は／及び、前記照明機器の電源を、前記矩形空調ダクトに沿って配設した複数の電源タップのうちの、近接する電源タップから取り出し可能に構成したことを特徴とする請求項１又は２に記載の空調システム。
【発明の詳細な説明】
【技術分野】
【０００１】
本発明は空調システムに係り、特に天井空間等に設置される矩形ダクトを利用するダクト空調システムに関する。
【背景技術】
【０００２】
近年、オフィスビル等において、室内頭上空間の圧迫感を解消するため天井材や下地材を貼らずに、設備機器や空調用ダクトを露出配置するデザインが採用される例がある。また、内装工事段階でパーソナルスペースの配置等に応じて、空調吹出口や照明等の位置を比較的自由に配置可能なグリッドシステム天井の導入も進んでいる。
一方、意匠的な見地から、天井面の点検口数減少を目的として、空調用制気口と点検口とを兼用可能とする技術が提案されている（例えば特許文献１）。同文献による制気口の取付構造１００は、図５に示すように、天井面１０３に形成された開口部１０７に脱着可能に配設される制気口１０１と、制気口１０１に接続され、固定設置される空調用ダクト１０２の先端部に接続され水平面内において揺動可能なフレキダクト１０３と、天井内部に配設され一端が垂直軸で軸支され、他端で前記制気口１０１を保持するアーム１０４と、を備えている。このような構造により、天井裏１０８に設置する機器や器具を保守点検する際に、フレキダクト１０３を左右にずらして行うことができる。
【先行技術文献】
【特許文献】
【０００３】
【特許文献１】特開平５−３４０６０１号公報
【発明の開示】
【発明が解決しようとする課題】
【０００４】
通常、オフィス内では、一つの吹出パネル（制気口）の下方に、複数のパーソナルスペースが設けられている。しかしながら、快適温度、風量には個人差があり、居住者全てにとって快適と感じる空調設定を行うのは困難である。このため、パーソナルスペース毎に各人の好みに応じて風向きや風量を調整可能として、空調快適性を向上させるシステムが求められている。
【０００５】
また近年、オフィス内レイアウトと知的生産性の関連に関心が高まり、使用者独自でのレイアウト変更が頻繁に行われるケースがある。
しかしながら、天井面等の空調吹出口には目が向けられていないのが現状であり、これまで上記各課題に対応するダクト方式の空調システムは提案されていない。
【課題を解決するための手段】
【０００６】
本発明は、上記課題を解決するためのものであって、特にオフィス空間における作業環境の改善、快適性と省エネ性を両立可能なダクト空調システムを提供する。
本発明は、以下の内容を要旨とする。すなわち、本発明に係るダクト空調システムは、
（１）天井空間等に配設される空調ダクトにより温風又は冷風を供給して、室内を空調するダクト空調システムであって、
下面側の長手方向に、所定の間隔で複数の開口部を備えた矩形空調ダクトと、
温風又は冷風を吹き出す気流吹出手段を備え、かつ、該開口部に着脱自在に装着可能に構成した制気口ユニットと、を備えて成り、
空調必要箇所の直上開口部に、該制気口ユニットを設置可能に構成した、
ことを特徴とする。
【０００７】
（２）上記（１）の発明において、前記制気口は前記気流吹出手段に替えて、又は前記気流吹出手段に加えて、照明機器を、さらに備えたことを特徴とする。
【０００８】
（３）上記各発明において、前記気流吹出手段、又は／及び、前記照明機器の電源を、前記矩形空調ダクトに沿って配設した複数の電源タップのうちの、近接する電源タップから取り出し可能に構成したことを特徴とする。
【発明の効果】
【０００９】
本発明によれば、特にオフィスのパーソナルスペースにおいて、居住者各人の好みに応じた空調と照明の実現が可能となり、また、エネルギー消費の抑制にも寄与するという効果がある。
【００１０】
また、オフィス内レイアウトの変更時に、制気口や照明位置変更に伴う内装工事を最小限に抑えることができるため、工事期間の短縮、コストダウンが可能になるという効果がある。
【図面の簡単な説明】
【００１１】
【図１】ダクト空調システム１の全体構成を示す図である。
【図２（ａ）】アネモスタットタイプ２Ａの外観構成を示す図（平面図）である。
【図２（ｂ）】ファン内蔵タイプ２Ｂの外観構成を示す図（平面図）である。
【図２（ｃ）】パンチングタイプ２Ｃの外観構成を示す図（平面図）である。
【図２（ｄ）】ＶＨ（ユニバーサルグリル）タイプ２Ｄの外観構成を示す図（平面図）である。
【図２（ｅ）】照明ユニット７の外観構成を示す図（平面図）である。
【図３】制気口ユニット２並びに接続部材３の構成、及び、制気口ユニット２の接続部材３への装着方法を示す図である。
【図４（ａ）】矩形ダクトへの接続部材３、シール部材３ｄ、制気口ユニット２の接続固定方法を示す展開図である。
【図４（ｂ）】矩形ダクト４への制気口ユニット２の装着状態を示す側面図（一部断面図）である。
【図４（ｃ）】同上のＡ−Ａ’断面図である。
【図４（ｄ）】ファン内蔵タイプ２Ｂ等の電源供給態様例を示す図である
【図４（ｅ）】制気口ユニット２の開口部４ａに化粧パネル８を嵌めこんだ状態を示す図である。
【図５】従来のダクト空調システム１００の構成を示す図である。
【発明を実施するための形態】
【００１２】
以下、本発明に係るダクト空調システムの各実施形態について、図１乃至４（ｃ）を参照してさらに詳細に説明する。重複説明を避けるため、各図において同一構成には同一符号を用いて示している。なお、本発明の範囲は特許請求の範囲記載のものであって、以下の実施形態に限定されないことはいうまでもない。
【００１３】
図１を参照して、本実施形態に係るダクト空調システム１は、天井スペース６に複数列配設した矩形ダクト４（請求項の矩形空調ダクトに該当）と、矩形ダクト４の下面開口部４ａに接続部材３を介して配設される複数の制気口ユニット２及び／又は照明ユニット７と、を主要構成として備えている。
【００１４】
図３を参照して、矩形ダクト４は下面側に一定間隔で開口部４ａが設けられており、接続部材３を固定可能に構成されている。各矩形ダクト４内には、不図示の空調機から空調空気（冷風又は温風）が供給されている。
【００１５】
制気口ユニット２は上面側が開口し、下面側に吹出しパネル２ｃを装着して、箱型形状に構成されている。上面側開口部の周縁にはフランジ部２ｂが設けられれており、後述するように接続部材３に差し込み固定可能としている。
【００１６】
制気口ユニット２としては、例えば複数の角型又は環状コーンを同心円状に取り付けたアネモスタットタイプ２Ａ（図２（ａ））、ファン２ｆを備えたファン内蔵タイプ２Ｂ（図２（ｂ））、パンチング板２ｇを用いたパンチングタイプ２Ｃ（図２（ｃ））、縦横の羽根２ｈ、２ｉを有するＶＨ（ユニバーサルグリル）タイプ２Ｄ（図２（ｄ））等があり、室内配置、デザイン、空調用途等を考慮して最適なタイプを選択することができる。
【００１７】
また、制気口ユニット２に替えて、又は、制気口ユニット２と併せて照明ユニット７を取り付けることもできる。図２（ｅ）を参照して、照明ユニット７は下面側に複数のＬＥＤランプ７ａが複数列配設されている。
いずれのタイプの制気口ユニット２又は照明ユニット７も、外形寸法が同一に構成されており、互換性を維持しつつ接続部材３の鞘部３ｂに装着して、固定可能に構成されている。
【００１８】
図４を参照して、なお、ファン内蔵タイプ４Ｂ及び照明ユニット７については、電源供給のためのプラグ２ｅを備えており、後述するように接続部材３側の電源タップ３ｄに接続することにより電源供給可能に構成されている。
【００１９】
図３を参照して、接続部材３は矩形の枠形状に構成されており、開口部３ｃの形状は矩形ダクト４の開口部４ａと同一形状に構成されている。上面側には矩形ダクト４の開口部４ａ周縁に当接固定するためのフランジ部３ａが設けられている。また、フランジ部３ａの下側には、制気口ユニット２のフランジ部２ｂを差し込み可能とするための鞘部３ｂが設けられている。
【００２０】
ダクト空調システム１は以上のように構成されており、次に、ダクト空調システム１における制気口ユニット２の設置方法について説明する。
設置に先立って、天井スラブ９ａ下に取り付けた吊ボルト９ｂに矩形ダクト４が天井スペースに固定されている（図１参照）。
図４（ａ）を参照して、最初に矩形ダクト４の開口部４ａと接続部材３のフランジ部３ａとの位置を合わせ、間にシール部材３ｄを介在させてボルト３ｇで固定する。
【００２１】
次に、図４（ｂ）を参照して、次に接続部材３の鞘部３ｂに制気口ユニット２のフランジ部２ｂをスライドさせて端部まで差し込み、ボルト（図示せず）固定することにより装着を完了する。装着状態の断面は図４（ｃ）のように示され、ダクト内４ｃを流れる温風又は冷風は制気口２を通過して室内５に供給される。
【００２２】
なお、図４（ｄ）を参照して、天井スペース６には、ダクト４に沿って電源ケーブル１１が敷設されており、所定の間隔で配設されている電源タップ１１ａから駆動等電源を供給可能に構成されている。これにより、ファン内蔵タイプ２Ｂ及び照明ユニット７については、電源供給用のプラグ２ｅを接続部材３側の電源タップ３ｅに接続し、コード３ｆを介して電源タップ１１ａに接続することにより、必要な電力供給を受けることができる。
また、各ユニットの駆動制御については、無線通信、ＬＡＮケーブルを使った通信、ＰＬＣ(電力線搬送通信)等を用いて行うようにしてもよい。
【００２３】
また、図４（ｅ）を参照して、制気口ユニット２又は照明ユニット７が不要なスペースの直上開口部４ａには、化粧パネル８を嵌めこむことにより、美観を損なうことなく開口をふさぐことができる。
【００２４】
以上説明したように、本実施形態の構成及び施工方法によれば、各制気口ユニット２、照明ユニット７、化粧パネル８を、居住者自らが居住者の好みに応じて装着することができる（図１参照）。
さらに、制気口ユニット２の内部や外周部等に風量、温度等の環境計測センサを配設することにより、センサ計測値に基づいて空調機能力や照度等の制御を行う態様としてもよい。
また、居室者の座席位置にスイッチ、センサー、端末等を配置し、照明やファン等を制御するように構成してもよい。この場合、上述のように駆動制御を無線通信、ＬＡＮケーブルを使った通信、ＰＬＣ(電力線搬送通信)等を用いることができる。
【００２５】
なお、本実施形態では天井パネルを備えずダクト露出とした室内の例を示したが、天井パネルを備えた室内構造とすることもできる。
また、制気口ユニット２と接続部材３との装着方法について、接続部材３の鞘部３ｂに制気口ユニット２のフランジ部２ｂを差し込んで装着する例を示したが、接続部材３の下側に制気口ユニット２を固定又は嵌め込む態様とすることもできる。
【００２６】
また、本実施形態では制気口ユニット２を矩形ダクト４に固定する例を示したが、システム天井のグリッドバー等に固定する態様とすることもできる。
【産業上の利用可能性】
【００２７】
本発明は、建物・天井構造を問わず、また業務用、住宅用等の使用形態を問わず天井ダクト方式の空調システムに広く適用可能である。
【符号の説明】
【００２８】
１・・・・ダクト空調システム
２・・・・制気口ユニット
２Ａ・・・アネモスタットタイプ
２Ｂ・・・ファン内蔵タイプ
２Ｃ・・・パンチングタイプ
２Ｄ・・・ＶＨ（ユニバーサルグリル）タイプ
３・・・・接続部材
４・・・・矩形ダクト
７・・・・照明ユニット
８・・・・化粧パネル
１１・・・電源タップ
１１ａ・・電源ケーブル
【図１】
2014126313.tif 000003
【図２（ａ）】
2014126313.tif 000004
【図２（ｂ）】
2014126313.tif 000005
【図２（ｃ）】
2014126313.tif 000006
【図２（ｄ）】
2014126313.tif 000007
【図２（ｅ）】
2014126313.tif 000008
【図３】
2014126313.tif 000009
【図４（ａ）】
2014126313.tif 000010
【図４（ｂ）】
2014126313.tif 000011
【図４（ｃ）】
2014126313.tif 000012
【図４（ｄ）】
2014126313.tif 000013
【図４（ｅ）】
2014126313.tif 000014
【図５】
2014126313.tif 000015